(57)【特許請求の範囲】
【請求項１】
デジタル放送を受信するデジタル放送受信機において、
ユーザからの選局信号を受信する選局信号受信手段と、
前記選局信号に応じ放送局を選局して前記デジタル放送を受信する放送受信手段と、
同一のトランスポートストリーム内に複数のテレビサービスが存在する場合に、前記テレビサービスごとに分離する分離手段と、
分離された前記テレビサービスを出力し、同一の前記選局信号を受信した場合、ユーザにより設定された順序で、同一の前記放送局から送られる前記トランスポートストリームに存在する他のテレビサービスを出力する出力手段と、
前記複数のテレビサービスのチャネル番号を表示するとともに、現在出力されている前記テレビサービスの前記チャネル番号を強調表示する表示手段と、
を有することを特徴とするデジタル放送受信機。
【請求項２】
デジタル放送を受信するデジタル放送受信機において、
ユーザからの選局信号を受信する選局信号受信手段と、
前記選局信号に応じ放送局を選局して前記デジタル放送を受信する放送受信手段と、
同一のトランスポートストリーム内に複数のテレビサービスまたは、グループ化された複数の視野情報が存在する場合に、前記テレビサービスまたは前記視野情報ごとに分離する分離手段と、
分離された前記テレビサービスまたは前記視野情報を出力し、同一の前記選局信号を受信した場合、ユーザにより設定された順序で、同一の前記放送局から送られる前記テレビサービスまたは前記グループ化された他の視野情報を出力する出力手段と、
前記複数のテレビサービスのチャネル番号を表示するとともに、現在出力されている前記テレビサービスの前記チャネル番号を強調表示する表示手段と、
を有することを特徴とするデジタル放送受信機。
【請求項３】
デジタル放送を選局する選局方法において、
ユーザからの選局信号を受信し、
前記選局信号に応じ放送局を選局して前記デジタル放送を受信し、
同一のトランスポートストリーム内に複数のテレビサービスが存在する場合に、前記テレビサービスごとに分離し、
分離された前記テレビサービスを出力し、
同一の前記選局信号を受信した場合、ユーザにより設定された順序で、同一の前記放送局から送られる前記トランスポートストリームに存在する他のテレビサービスを出力し、
前記複数のテレビサービスのチャネル番号を表示するとともに、現在出力されている前記テレビサービスの前記チャネル番号を強調表示することを特徴とする選局方法。
【請求項４】
デジタル放送を選局する選局方法において、
ユーザからの選局信号を受信し、
前記選局信号に応じ放送局を選局して前記デジタル放送を受信し、
同一のトランスポートストリーム内に複数のテレビサービスまたは、グループ化された複数の視野情報が存在する場合に、前記テレビサービスまたは前記視野情報ごとに分離し、
分離された前記テレビサービスまたは前記視野情報を出力し、
同一の前記選局信号を受信した場合、ユーザにより設定された順序で、同一の前記放送局から送られる前記トランスポートストリームに存在する前記テレビサービスまたは前記グループ化された他の視野情報を出力し、
前記複数のテレビサービスのチャネル番号を表示するとともに、現在出力されている前記テレビサービスの前記チャネル番号を強調表示することを特徴とする選局方法。
【発明の詳細な説明】
【０００１】
【発明の属する技術分野】
デジタル放送を受信するデジタル放送受信機に関し、特に、複数サービスを有するトランスポートストリームを受信するデジタル放送受信機に関する。
【０００２】
【従来の技術】
デジタル放送は、多チャンネルや高画質が好評であり、近年、急速に普及しつつある。
【０００３】
デジタル放送では、放送局が１つのハイビジョン番組を放送する代わりに、３つの通常番組を放送するような、同一のトランスポートストリームで、複数のテレビサービスを提供するようなことも可能である。
【０００４】
このような、同一トランスポートストリーム内に複数のテレビサービスが存在する場合、従来では、同一トランスポートストリーム内の他のテレビサービスのサービスＩＤがあらかじめプリセットされていない場合、３桁のサービスＩＤを入力し、さらに、選局ボタンを押し、所望のテレビサービスを選択していた。
【０００５】
また、デジタル放送では、放送局がマルチビューテレビなどの複数視野情報を提供するサービスも存在する。
このような、同一トランスポートストリーム内に複数の視野情報が存在する場合、従来では、リモコンの映像切替ボタンなどを押すことによって、所望のコンポーネントグループ記述子によりグループ化された異なる視野情報などのサブサービスを選択することができた。
【０００６】
【発明が解決しようとする課題】
しかし、上記のように、同一トランスポートストリーム内に複数のサービスが存在する場合、数種類のボタンによる数ステップの操作が必要であり、面倒であるという問題があった。
【０００７】
本発明はこのような点に鑑みてなされたものであり、簡単に複数のサービスが選択可能なデジタル放送受信機を提供することを目的とする。
また、本発明の他の目的は、簡単に複数のサービスが選択可能な選局方法を提供することである。
【０００８】
【課題を解決するための手段】
本発明では上記課題を解決するために、デジタル放送を受信するデジタル放送受信機において、ユーザからの選局信号を受信する選局信号受信手段と、前記選局信号に応じ放送局を選局して前記デジタル放送を受信する放送受信手段と、同一のトランスポートストリーム内に複数のテレビサービスが存在する場合に、前記テレビサービスごとに分離する分離手段と、分離された前記テレビサービスを出力し、同一の前記選局信号を受信した場合、ユーザにより設定された順序で、同一の前記放送局から送られる前記トランスポートストリームに存在する他のテレビサービスを出力する出力手段と、前記複数のテレビサービスのチャネル番号を表示するとともに、現在出力されている前記テレビサービスの前記チャネル番号を強調表示する表示手段と、を有することを特徴とするデジタル放送受信機が提供される。
【０００９】
上記構成によれば、同一のトランスポートストリーム内に複数のテレビサービスが存在する場合、受信中の局と同一の選局信号を入力することで、出力するテレビサービスを、ユーザにより設定された順序で切り替える。また、複数のテレビサービスのチャネル番号が表示されるとともに、現在出力されているテレビサービスのチャネル番号が強調表示される。
【００１０】
また、デジタル放送を受信するデジタル放送受信機において、ユーザからの選局信号を受信する選局信号受信手段と、前記選局信号に応じ放送局を選局して前記デジタル放送を受信する放送受信手段と、同一のトランスポートストリーム内にグループ化された複数の視野情報が存在する場合に、前記視野情報ごとに分離する分離手段と、分離された前記視野情報を出力し、同一の前記選局信号を受信した場合、ユーザにより設定された順序で、同一の前記放送局から送られる前記グループ化された他の視野情報を出力する出力手段と、を有することを特徴とするデジタル放送受信機が提供される。
【００１１】
上記構成によれば、同一のトランスポートストリーム内にグループ化された複数の視野情報が存在する場合、受信中の局と同一の選局信号を入力することで、出力する視野情報を、ユーザにより設定された順序で切り替える。
【００１２】
また、デジタル放送を受信するデジタル放送受信機において、ユーザからの選局信号を受信する選局信号受信手段と、前記選局信号に応じ放送局を選局して前記デジタル放送を受信する放送受信手段と、同一のトランスポートストリーム内に複数のテレビサービスまたは、グループ化された複数の視野情報が存在する場合に、前記テレビサービスまたは前記視野情報ごとに分離する分離手段と、分離された前記テレビサービスまたは前記視野情報を出力し、同一の前記選局信号を受信した場合、ユーザにより設定された順序で、同一の前記放送局から送られる前記テレビサービスまたは前記グループ化された他の視野情報を出力する出力手段と、前記複数のテレビサービスのチャネル番号を表示するとともに、現在出力されている前記テレビサービスの前記チャネル番号を強調表示する表示手段と、を有することを特徴とするデジタル放送受信機が提供される。
【００１３】
上記構成によれば、同一のトランスポートストリーム内に複数のテレビサービスまたは、グループ化された複数の視野情報が存在する場合、受信中の局と同一の選局信号を入力することで、出力するテレビサービスまたは視野情報を、ユーザにより設定された順序で切り替える。また、複数のテレビサービスのチャネル番号が表示されるとともに、現在出力されているテレビサービスのチャネル番号が強調表示される。
【００１４】
また、デジタル放送を選局する選局方法において、ユーザからの選局信号を受信し、前記選局信号に応じ放送局を選局して前記デジタル放送を受信し、同一のトランスポートストリーム内に複数のテレビサービスが存在する場合に、前記テレビサービスごとに分離し、分離された前記テレビサービスを出力し、同一の前記選局信号を受信した場合、ユーザにより設定された順序で、同一の前記放送局から送られる前記トランスポートストリームに存在する他のテレビサービスを出力し、前記複数のテレビサービスのチャネル番号を表示するとともに、現在出力されている前記テレビサービスの前記チャネル番号を強調表示することを特徴とする選局方法が提供される。
【００１５】
上記方法によれば、同一のトランスポートストリーム内に複数のテレビサービスが存在する場合、受信中の局と同一の選局信号を入力することで、出力するテレビサービスを、ユーザにより設定された順序で切り替える。また、複数のテレビサービスのチャネル番号が表示されるとともに、現在出力されているテレビサービスのチャネル番号が強調表示される。
【００１６】
また、デジタル放送を選局する選局方法において、ユーザからの選局信号を受信し、前記選局信号に応じ放送局を選局して前記デジタル放送を受信し、同一のトランスポートストリーム内にグループ化された複数の視野情報が存在する場合に、前記視野情報ごとに分離し、分離された前記視野情報を出力し、同一の前記選局信号を受信した場合、ユーザにより設定された順序で、同一の前記放送局から送られる前記トランスポートストリームに存在する他の視野情報を出力することを特徴とする選局方法が提供される。
【００１７】
上記方法によれば、同一のトランスポートストリーム内にグループ化された複数の視野情報が存在する場合、受信中の局と同一の選局信号を入力することで、出力する視野情報を、ユーザにより設定された順序で切り替える。
【００１８】
また、デジタル放送を選局する選局方法において、ユーザからの選局信号を受信し、前記選局信号に応じ放送局を選局して前記デジタル放送を受信し、同一のトランスポートストリーム内に複数のテレビサービスまたは、グループ化された複数の視野情報が存在する場合に、前記テレビサービスまたは前記視野情報ごとに分離し、分離された前記テレビサービスまたは前記視野情報を出力し、同一の前記選局信号を受信した場合、ユーザにより設定された順序で、同一の前記放送局から送られる前記トランスポートストリームに存在する前記テレビサービスまたは前記グループ化された他の視野情報を出力し、前記複数のテレビサービスのチャネル番号を表示するとともに、現在出力されている前記テレビサービスの前記チャネル番号を強調表示することを特徴とする選局方法が提供される。
【００１９】
上記方法によれば、同一のトランスポートストリーム内に複数のテレビサービスまたは、グループ化された複数の視野情報が存在する場合、受信中の局と同一の選局信号を入力することで、出力するテレビサービスまたは視野情報を、ユーザにより設定された順序で切り替える。また、複数のテレビサービスのチャネル番号が表示されるとともに、現在出力されているテレビサービスのチャネル番号が強調表示される。
【００２０】
【発明の実施の形態】
以下本発明の実施の形態を図面を参照して説明する。
図１は、本発明の実施の形態のデジタル放送受信機の概略の構成図である。
【００２１】
デジタル放送受信機１０は、ユーザからリモートコントローラ（以下リモコンと言う）２０などを介して送信される選局信号を受信する選局信号受信手段１１と、選局信号に応じて放送局を選局してデジタル放送を受信する放送受信手段１２と、同一のトランスポートストリーム内に複数のテレビサービスや、複数の視野情報が存在する場合にそれらを分離する分離手段１３と、分離されたテレビサービスや、視野情報を出力装置３０に出力する出力手段１４と、から構成される。
【００２２】
以下デジタル放送受信機１０の動作を説明する。
なお、ここでは、受信するデジタル放送が同一トランスポートストリーム内に複数テレビサービスを有する場合について説明する。
【００２３】
ユーザによる選局が、リモコン２０でなされると、リモコン２０から発信される選局信号を、選局信号受信手段１１で受信する。選局信号は、放送受信手段１２に伝送され、放送受信手段１２では選局に応じて放送局を選局し、選局された放送局から図示しないアンテナを介してデジタル放送電波を受信する。受信した放送電波は復調され、トランスポートストリーム形式のデータが得られる。トランスポートストリームは複数のテレビサービスを有する。分離手段１３では、これらを分離して出力手段１４に入力する。
【００２４】
このとき再び、同じ選局信号が、リモコン２０により入力されると、選局信号受信手段１１で、この選局信号を受信し、出力手段１４から出力装置３０に出力するテレビサービスを切り替える。例えば、図１のように３つのテレビサービスが存在する場合で、はじめの選局動作で、テレビサービス１が出力されるように設定されている場合、同じ選局信号が再び入力された場合、出力手段１４はテレビサービス２を出力し、さらに再び同じ選局信号が入力された場合、出力手段１４はテレビサービス３を出力装置３０に出力する。ここで、さらに同じ選局信号が入力された場合、出力手段１４は出力装置３０に、再びテレビサービス１を出力する。
【００２５】
図２は複数のテレビサービスを有するチャンネルにおける選局動作時の状態遷移図である。
ここでは、ユーザが選局した８ｃｈが２００ｃｈ、２０１ｃｈ、２０２ｃｈと、３つのテレビサービスを有する場合について説明する。ここでは、上記で説明した図１のテレビサービス１が２００ｃｈ、テレビサービス２が２０１ｃｈ、テレビサービス３が２０２ｃｈに対応している。
【００２６】
Ｔ１：ユーザによりリモコン２０における８ｃｈに対応したワンタッチボタンが押されると、まず、２００ｃｈが出力手段１４で出力され出力装置３０で視聴できる。ここで、再び８ｃｈが押されたとき、状態Ｔ２に遷移する。
【００２７】
Ｔ２：状態Ｔ１において、８ｃｈが押されたので、次の２０１ｃｈを出力する。ここで、さらに８ｃｈが押された場合、状態Ｔ３に遷移する。
Ｔ３：状態Ｔ２において、再び８ｃｈが押されたので、次の２０２ｃｈを出力する。ここで、さらに８ｃｈが押されたとき、状態Ｔ１に戻る。
【００２８】
なお、リモコン２０により、始めに複数テレビサービスが存在するチャンネルを選局したときに出力されるテレビサービスは、各テレビサービスに割り当てられたサービスＩＤを参照して、そのサービスＩＤがもっとも小さいテレビサービスを出力するようにしてもよいし、あらかじめ、ユーザの所望により設定してもよい。
【００２９】
同じ選局信号を受信し、複数テレビサービスを切り替える場合の順序についても、サービスＩＤ順に出力するようにしてもよいし、ユーザの所望により設定してもよい。
【００３０】
上記では、同一トランスポートストリーム内に複数のテレビサービスが存在する場合について説明したが、１つのテレビサービスであっても、マルチビューテレビなどのように、トランスポートストリーム内にグループ化された複数の視野情報を含むようなサービスの場合、同様の動作を行う。つまり、ユーザにより同じ選局信号が入力された場合、出力装置３０に出力する視野情報を切り替え、違う視野から見た映像を画面に表示する。
【００３１】
上記のように、同一トランスポートストリーム内に複数のサービスが存在する場合の出力する各サービスを切り替えるために、同じ選局信号をユーザに入力させるようにしたので、例えばリモコン２０の１つのボタンで簡単に行うことができる。
【００３２】
以下本発明の実施の形態の詳細を説明する。
図３は、本発明の実施の形態のデジタル放送受信機のハードウェア構成図である。
【００３３】
本発明の実施の形態のデジタル放送受信機１００は、アンテナ１１０で受信したデジタル放送電波を復調するフロントエンド１０１と、有料放送などにかけられたスクランブルを解くデスクランブラ１０２と、トランスポートストリームを映像データパケットや音声データパケットなどに分離するデマルチプレクサ１０３と、符号化された信号をデコードするＡＶ（Audio-Visual）デコーダ１０４と、ＧＵＩ（Graphical User Interface）映像信号をデコードされた映像信号と合成しＴＶ（TeleVision）１２０に伝達するグラフィックス１０５と、各システムを制御するＣＰＵ（Central Processing Unit）１０６と、フォントなどの表示データの格納やＣＰＵ１０６で制御されるデータの一時保存などを行うメモリ１０７と、リモコン１３０から赤外線で送信される選局信号を受光してリモコンコードに変換しＣＰＵ１０６に伝達するフロントパネル１０８と、から構成される。
【００３４】
以下デジタル放送受信機１００の動作を説明する。
ユーザによるリモコン１３０の操作により、選局が行われると、選局信号はフロントパネル１０８で受光されてリモコンコードに変換され、ＣＰＵ１０６を介してフロントエンド１０１に入力される。フロントエンド１０１では、入力された選局信号に応じて放送局を選局し、選局した放送局より送信される放送電波をアンテナ１１０により受信して復調する。ここで得られたＭＰＥＧ（Moving Picture Experts Group）２のトランスポートストリームをデスクランブラ１０２に入力する。デスクランブラ１０２では、有料放送などによるスクランブルデータがある場合には、スクランブルをＣＰＵ１０６の制御のもと解き、スクランブルが解かれたトランスポートストリームをデマルチプレクサ１０３に入力する。デマルチプレクサ１０３では、ＣＰＵ１０６の制御のもと、トランスポートストリームを映像データパケット、音声データパケット、ＳＩ（Service Information）データパケットなどに分離する。ＳＩデータパケットには電子番組ガイド（ＥＰＧ：Electronic Program Guide）の情報などが含まれている。ここで、映像データパケット及び音声データパケットはＡＶデコーダ１０４に伝送され、ＳＩデータパケットはＣＰＵ１０６に伝送される。ＡＶデコーダ１０４では、映像データパケット、音声データパケットからデコードした映像信号、音声信号をＴＶ１２０へ伝送され、出力される。また、グラフィックス１０５では、ＣＰＵ１０６より伝達された描画命令に従って、ＥＰＧなどのＧＵＩ映像信号を作り、映像信号とあわせてＴＶ１２０へ出力する。
【００３５】
以下、受信し復調した同一トランスポートストリーム内に、複数のテレビサービスや、マルチビューテレビなどのグループ化された複数の視野情報など、複数のサービスが存在する場合についてのデジタル放送受信機１００の動作を説明する。
【００３６】
デジタル放送では、ハイビジョンで放送されているテレビ番組の代わりに、通常放送の３番組を同一トランスポートストリームに含めることができる。このようなチャンネルの場合、ユーザがリモコン１３０の同じチャンネルボタンを複数回押すことによってＡＶデコーダ１０４でデコードし、ＴＶ１２０に出力するサービスを切り替える。
【００３７】
このときのデジタル放送受信機１００での選局処理を、フローチャートを用いて説明する。
図４、図５は本発明の選局方法のフローチャートである。
【００３８】
なお、簡略化のため図では、チャンネルをｃｈ、トランスポートストリームをＴＳと表記した。
Ｓ１：選局信号受信
ユーザにより、リモコン１３０でチャンネルが選択されると、フロントパネル１０８で、選局信号を受光し、ＣＰＵ１０６の制御のもとリモコンコードに変換し、フロントエンド１０１に伝送する。
【００３９】
Ｓ２：選局されたチャンネルと現在のチャンネルとが同じか否かの判断
ここで、ＣＰＵ１０６は、ユーザにより選局されたチャンネルと、現在フロントエンド１０１により受信中のチャンネルとが同じか否かの判断を行なう。ここで、同じであれば、ステップＳ３に進み、異なればステップＳ１４に進む。
【００４０】
Ｓ３：現在のチャンネルは複数テレビサービスか否かの判断
ここで、ＣＰＵ１０６の制御のもと、デマルチプレクサ１０３で分離された、トランスポートストリームのパケットで、ＰＩＤ＝０のパケットに記載されているＰＡＴ（Program Association Table）を参照し、現在のチャンネルは、複数テレビサービスを有するチャンネルか否かを判断する。ここで、複数テレビサービスを有するチャンネルであればステップＳ４に進み、複数テレビサービスでない場合はステップＳ７に進む。
【００４１】
Ｓ４：現在のチャンネルのサービスＩＤは同一トランスポートストリームの中で最大か否かの判断
ＣＰＵ１０６は、複数のテレビサービスに対応付けられたサービスＩＤを比較し、現在のチャンネルのサービスＩＤが、同一トランスポートストリーム内で最大か否かを判断する。ここで、最大のサービスＩＤであれば、ステップＳ５に進み、最大でなければステップＳ６に進む。
【００４２】
Ｓ５：同一トランスポートストリーム内のサービスの中で最小のサービスＩＤを選択
ステップＳ４で、現在のチャンネルにおいて、選択中のサービスのサービスＩＤが最大と判断されたので、ＣＰＵ１０６の制御のもと最小のサービスＩＤのサービスを選択し、デコードしてＴＶ１２０に出力し、処理を終了する。
【００４３】
Ｓ６：現在チャンネルの次のサービスＩＤを選択
ステップＳ４で、現在のチャンネルにおいて、選択中のサービスのサービスＩＤが最大でないと判断されたので、ＣＰＵ１０６の制御のもとサービスＩＤが次に大きいサービスを選択し、デコードしてＴＶ１２０に出力し、処理を終了する。
【００４４】
Ｓ７：現在のチャンネルはマルチビューテレビか否かの判断
ここでＣＰＵ１０６は、現在のチャンネルが、コンポーネント記述子でグループ化された複数の視野情報を提供する複数のサブサービスを有するマルチビューテレビか否かの判断を行なう。ここで、マルチビューテレビの場合はステップＳ８に進み、そうでなければステップＳ１４に進む。
【００４５】
Ｓ８：現在のチャンネルがメインサービスか否かの判断
ＣＰＵ１０６は現在選択中のチャンネルがマルチビューテレビの中で、メインの視野情報を提供するメインサービスであるか否かを判断する。ただし、マルチビューテレビの選局時または開始時は必ずメインサービスが選択された状態とする。ここで、メインサービスである場合はステップＳ９に進み、メインサービスではない場合はステップＳ１０へ進む。
【００４６】
Ｓ９：１つ目のサブサービスを選択
ステップＳ８で現在のチャンネルがメインサービスであると判断されたので、ＣＰＵ１０６の制御のもと、コンポーネント記述子でグループ化されている視野情報のうち、１つ目の視野情報であるサブサービスを選択し、デコードしてＴＶ１２０に出力し表示させる。
【００４７】
Ｓ１０：現在のサービスは１つ目のサブサービスか否かを判断
ステップＳ８により、現在のチャンネルは、サブサービスであると判断されたのを受けて、ＣＰＵ１０６により、そのサブサービスが１つ目のサブサービスか否かを判断する。ここで、１つ目のサブサービスであればステップＳ１１に進み、１つ目のサブサービスでなければ、ステップＳ１３に進む。
【００４８】
Ｓ１１：２つ目のサブサービスがあるか否かの判断
ＣＰＵ１０６は、マルチビューテレビのコンポーネント記述子によってグループ化されている２つ目のサブサービスがあるか否かを判断する。ここで、２つ目のサブサービスがあれば、ステップＳ１２に進み、なければステップＳ１３に進む。
【００４９】
Ｓ１２：２つ目のサブサービスを選択
ＣＰＵ１０６の制御のもと、２つ目のサブサービスをＡＶデコーダ１０４でデコードし、ＴＶ１２０に出力させ、表示させる。その後処理を終了する。
【００５０】
Ｓ１３：メインサービスを選択
選択するサービスが他にないので、ＣＰＵ１０６の制御のもとメインサービスを再び選択し、ＡＶデコーダ１０４によりデコードし、ＴＶ１２０に出力させ、表示させる。その後処理を終了する。
【００５１】
Ｓ１４：プリセットのチャンネルを選局
プリセットのチャンネルをそのまま選局し、ＣＰＵ１０６の制御のもと、ＡＶデコーダ１０４により、デコードし、ＴＶ１２０に出力し、表示させる。その後処理を終了する。
【００５２】
上記のように、同一トランスポートストリーム内に複数のサービスが存在するチャンネルの場合、出力する各サービスを切り替えるために、同じチャンネルをユーザに入力させるようにしたので、例えばリモコン１３０の１つのボタンで簡単にサービスの切り替えを行うことができる。
【００５３】
なお、上記では、同一トランスポートストリーム内に存在するテレビサービス及び、マルチビューテレビのサービスの数を３つとして説明したがこれに限定されない。
【００５４】
【発明の効果】
以上説明したように本発明では、同一トランスポートストリーム内に複数のテレビサービスが存在する場合、同一の選局信号を入力させるようにして、ユーザにより設定された順序で同一の放送局から送られるテレビサービスを切り替えるようにしたので、複数のサービスの中から所望のサービスを検索して選局を行う際の数ステップにも及ぶ煩雑なリモコン操作を行うことなく、最初に押したリモコン上の選局に対応したボタンから指を移動させることなく連続して押すだけで所望のサービスを選択することができる。また、同一のトランスポートストリーム内に存在する複数のテレビサービスのチャネル番号を表示するとともに、現在出力されているテレビサービスのチャネル番号を強調表示するので、現在選択しているチャンネルを容易に認識できる。
【００５５】
また、同様に同一のトランスポートストリーム内に複数のグループ化された複数の視野情報を有するマルチビューテレビの場合、同一の選局信号を入力させるようにして、ユーザにより設定された順序で同一の放送局から送られる各視野情報に対応するサブサービスを切り替えるようにしたので、複数のサービスの中から所望のサービスを検索して選択を行う際の数ステップにも及ぶ煩雑なリモコン操作を行うことなく、最初に押したリモコン上の選局に対応したボタンから指を移動させることなく連続して押すだけで所望のサービスを選択することができる。
【図面の簡単な説明】
【図１】本発明の実施の形態のデジタル放送受信機の概略の構成図である。
【図２】複数のテレビサービスを有するチャンネルにおける選局動作時の状態遷移図である。
【図３】本発明の実施の形態のデジタル放送受信機のハードウェア構成図である。
【図４】本発明の選局方法のフローチャートである。
【図５】本発明の選局方法のフローチャートである。
【符号の説明】
１０……デジタル放送受信機、１１……選局信号受信手段、１２……放送受信手段、１３……分離手段、１４……出力手段、２０……リモコン、３０……出力装置
【図１】
0004551604.tif 000002
【図２】
0004551604.tif 000003
【図３】
0004551604.tif 000004
【図４】
0004551604.tif 000005
【図５】
0004551604.tif 000006